(57)【要約】      （修正有）【課題】海苔畑の支柱の立て辛い海底の貝殻や砂の層に海苔支柱を立て込み、手の届かない海底で海苔支柱海水注入装置の固定を解除する海苔支柱海水注入装置を提供する。【解決手段】パイプを縦に二分して設けて、片方の主挟み板にスライド軸上下と、挟み板レバーと、レバー支点軸と、レバーばねフックと、レバー止と、防水パッキンと、注水口と、注水パイプと、ホースと、ロープを合わせ、対片方の挟み板に、スライド軸ガイド上下と、挟み板ばねフックとを合わせ、スライド軸ガイド上下に、スライド軸上下を入れ込み、レバーばねフックと挟み板ばねフックの間にコイルばねとを合わせて、海苔支柱海水注入装置を構成する。海水を注入し、噴射ノズルから噴射して海底を液状化しながら海苔支柱を押さえ込んでいく。海底に挟み板レバーが到達すると固定が解除されてロープで引き上げ課題を解決する。【選択図】図４
0003149196.tif 000002
【実用新案登録請求の範囲】
【請求項１】
海苔支柱の丸みの形状のパイプを縦に二分して設けた挟み板に、スライド軸上側と、スライド軸下側と、スライド軸ガイド上側と、スライド軸ガイド下側と、挟み板レバーと、レバー支点軸と、支点軸受けと、レバーばねフックと、レバー止めと、挟み板バネフックと、コイルばねと、防水パッキンと、注入口と、注入パイプと、ホースと、ロープを合わせ構成した、海苔支柱を挟んで海水を注入する、海苔支柱海水注入装置。
【考案の詳細な説明】
【技術分野】
【０００１】  本考案は、海苔支柱に用いる、海苔支柱海水注入装置に関する。
【背景技術】
【０００２】  従来から、高圧液体注入装置として、特許文献に開示されているものがある。
【特許文献１】  特開２００２−２３３２１０号公報
【考案の開示】
【考案が解決しようとする課題】
【０００３】  海苔支柱の立て辛い海苔漁場の貝殻や砂の層に海苔支柱を立て込むために、上部が詰まり側面の一部に注水口と根本に噴射口を持つ海苔支柱に海水を注入する場合、注水口に注入口をあわせ海水注入装置を素早く固定し、海水を注水して立て込み、立て込んだ海苔支柱から海水注入装置を取り外さなければならない。潮位の差により海水注入装置が手の届かない位置にある場合は取り外すことが出来ない。この考案は、これらの不都合を解決することを課題とする。
【課題を解決するための手段】
【０００４】  そこで、注水口を持つ海苔支柱の側面を挟み海水を注入するため、長さを決め海苔支柱の丸みに合う、パイプを縦に二分して設けた挟み板に、スライド軸上側と、スライド軸下側と、スライド軸ガイド上側と、スライド軸ガイド下側と、挟み板レバーと、レバー支点軸と、支点軸受けと、レバーばねフックと、レバー止と、挟み板ばねフックと、コイルばねと、防水パッキンと、注入口と、注水穴と、ホースと、ロープを合わせて構成した、海苔支柱海水注入装置を考案した（図３）。【０００５】  二分した片方の挟み板の主挟み板に、スライド軸上側と、スライド軸下側と、挟み板レバーと、レバー支点軸と、レバーばねフックと、レバー止めと、防水パッキンと、注水口と、ホースと、ロープを、合わせ、（図１）の形状を作る。【０００６】  対片方の挟み板に、スライド軸ガイド上側と、スライド軸ガイドした側と、挟み板ばねフックを、合わせ、（図２）の形状を作る。【０００７】  （図１）主挟み板側の、スライド軸上側と、スライド軸下側とを、（図２）挟み板の、スライド軸ガイド上側と、スライド軸ガイド下側に合わせ、コイルばねを、レバーばねフックと挟み板ばねフック間に合わせて、海苔支柱海水注入装置、（図３）を構成する。【０００８】  この海苔支柱海水注入装置の（図３）を正面に、スライド軸上側とスライド軸下側対側面側の主挟み板と挟み板間の開いた部分から海苔支柱を入れ、主挟み板の注水穴を海苔支柱の側面の下部分の注水口にあわせ、挟み板で挟み、挟み板レバーで、レバー支点軸を支点に、テコの原理で、レバーばねフックで、挟み板ばねフック間の、コイルばねを引き伸ばし、弾力を超える力で右回りに扇状にまわす。【０００９】  レバー支点軸を支点に右回りに扇状に回る時、レバーばねフックは、挟み板ばねフックを軸に、コイルばねを引き伸ばし、大きく扇状を描きながら、挟み板ばねフックとレバーばねフックを結ぶ直線状の中間に位置するレバー支点軸を通過した時、レバー止めで止まり、コイルばねの弾力を応用して、主挟み板と挟み板との間に海苔支柱を挟み固定する。【００１０】  海苔支柱の注水口に海水を注入して海底の所定に位置に噴射しながら海苔支柱を押さえ込み、海苔支柱海水注入装置の挟み板レバーが海底面に到達し、海苔支柱を押さえ込むことで海底センサーの役割となり、コイルばねの弾力を超える力で挟み板レバーを押し上げ、挟み板ばねフックとレバーばねフックを結ぶ線状の中間に位置するレバー支点軸を通過した時点でコイルばねの弾力で左回りに扇状に動き、海苔支柱の固定が解除されて、海苔支柱海水注入装置の挟み板レバーを結んであるロープで船上に引き上げることが出来る。【００１１】  また、海苔支柱の注水口が側面の上部の場合は、海苔支柱海水注入装置を１８０度半回転して固定し、海苔支柱を所定の位置まで立て込み、挟み板レバーのロープを下に引くと、海苔支柱から、海苔支柱海水注入装置を解除して、下ろすことができる。
【考案の効果】
【００１２】  本考案の、海苔支柱海水注入装置を海苔支柱に用いることで、海苔支柱の注水口に海水を注入し、根本のノズルから海水を噴射しながら海苔畑の海底の貝殻や砂の層を液状化して海苔支柱を楽に立て込むことが出来て疲労を軽減する事が出来るのである。【００１３】  海苔支柱海水注入装置が海苔支柱の側面の下部の穴に固定される場合、挟み板レバーは海底に達した時、海底センサーとなり、手の届かない海中で自動的に固定を解除し、ロープを使い船上に引き上げ、また、海苔支柱海水注入装置が海苔支柱の側面の上部の穴に１８０度回半回転して固定される場合、挟み板レバーに結ばれたロープを引くことで、手の届かない高い位置でも固定を解除して下ろすことができるのである。
【考案を実施するための最良の形態】
【００１４】  本考案に係わる海苔支柱海水注入装置は、長さを決め、１９海苔支柱の丸みの形状のパイプを縦に二分した片方の、１主挟み板に、３スライド軸Ａと、４スライド軸Ｂと、７挟み板レバーと、８レバー支点軸と、９支点軸受けと、１０レバーばねフックと、１１レバー止めと、１４防水パッキンと、１５注水口と、１７ホースと、１８ロープを、合わさられている。また、二分した対片方の、２はさみ板に、５スライド軸ガイドＡと、６スライド軸ガイドＢと、１２はさみ板ばねフックを合わせて、１海苔支柱挟み板の、３スライド軸Ａと、４スライド軸Ｂに、２はさみ板の、５スライド軸受けＡと、６スライド軸受けＢに入れ込み、１３コイルばねをあわせ、（図３）の形状に、海苔支柱海水注入装置を構成している。【００１５】海苔支柱海水注入装置を用いる、パイプ状の上部の詰まった、１９海苔支柱の側面の一部分に、２０注水口と根本に、２１噴射口ある、１９海苔支柱を挟む場合は、１主挟み板と、２はさみ板の間隔を広げ開いた部分から、１９海苔支柱を入れ込み、１９海苔支柱の側面の下部分の、２０注水口に、１主挟み板の、１６注水穴を合わせ、２挟み板とで挟み、図３を正面に見て、７挟み板レバーで、８レバー支点軸を支点に、テコの原理を応用し、１０レバーばねフックで、１２挟み板ばねフック間の、１３コイルばねを引き伸ばし右回りに扇状に回す。【００１６】  ８レバー支点軸を支点に扇状に右回りに回る時、１０レバーばねフックは、１２挟み板ばねフックを軸に、１３コイルばねを引き伸ばし大きく扇状を描きながら、１２挟み板ばねフックと、１０レバーばねフックを結ぶ直線状の中間に位置する、８レバー支点軸を通過した、１１レバー止めの位置で止まり、１３コイルばねの弾力を応用して、１９海苔支柱を固定する。【００１７】  １９海苔支柱に海水を、１６注水穴より注入して、２１噴射ノズルから海底の所定の位置に噴射しながら、１９海苔支柱を押さえ込み所定の深さに達した時、海苔支柱海水注入装置の、７挟み板レバーが海底面に到達し、１９海苔支柱を押さえ込むことで海底センサーの役割となり、１３コイルばねの弾力を超える力で、７挟み板レバーを押し上げ、１２挟み板ばねフックと、１０レバーばねフックを結ぶ線状の中間に位置する、８レバー支点軸を通過した時点で、１３コイルばねの弾力で左回りに扇状に動き、１９海苔支柱の固定が解除されて、海苔支柱海水注入装置を挟み板レバーに結んであるロープで船上に引き上げることが出来る。【００１８】  また、１９海苔支柱の、２０注水口が側面の上部分の場合は、海苔支柱海水注入装置を１８０度半回転して固定し、１９海苔支柱を所定の深さまで立て込み、７挟み板レバーに結んである、１８ロープを下に引くと、１９海苔支柱から海苔支柱海水注入装置の挟みを解除して、下に下ろすことが出来る。【００１９】  このように工夫した、本考案の、海苔支柱海水注入装置を海苔支柱の立て込み作業に利用すると、手の届かない位置の海苔支柱海水注入装置の固定を解除することができ海苔支柱の立て込み作業の疲労を減らし能率を向上させる事ができる。【００２０】  尚、主挟み板とはさみ板の形状と挟み幅は、海苔支柱の丸に合わせて、挟み幅を決め、長さとコイルばねの弾力は、パッキンから水圧で海水漏れしないようにバランスを取るとよい。防水パッキンは主挟み板の注水穴にサイズを合わせ、厚みは注入口と注水口が多少ずれた場合でもパッキンの穴の範囲内で海水の流れができる厚みを決めるとよい。【００２１】  これら、海苔支柱高圧海水注入装置の材料は海水に強く錆びない金属がよい。
【産業上の利用可能性】
【００２２】  本発明に係る、海苔支柱高圧海水注入装置は、工業的量産することが可能である為産業上の利用可能性を有する。
【図面の簡単な説明】
【００２３】
【図１】  主挟み板部分の、立面図である。
【図２】  挟み板部分の、立面図である。
【図３】  主挟み板部分と挟み板部分を合わせた、本考案の海苔支柱海水注入装置の立面図である。
【図４】  海苔支柱海水注入装置の、主挟み板と挟み板との間に海苔支柱を挟む前の立面図である。
【図５】  海苔支柱海水注入装置の、主挟み板と挟み板との間に海苔支柱を挟んだ立面図である。
【図６】  海苔支柱の立面図である。
【符号の説明】
【００２４】  １  主挟み板を示す
２  挟み板を示す
３  スライド軸上側を示す
４  スライド軸下側を示す
５  スライド軸ガイド上側を示す
６  スライド軸ガイド下側を示す
７  挟み板レバーを示す
８  レバー支点軸を示す
９  支点軸受けを示す
１０  レバーばねフックを示す
１１  レバー止を示す
１２  挟み板ばねフックを示す
１３  コイルばねを示す
１４  防水パッキンを示す
１５  注入口を示す
１６  注入パイプを示す
１７  ホースを示す
１８  ロープを示す
１９  海苔支柱を示す
２０  注水口を示す
２１  噴射ノズルを示す
２２  アンテナを示す
【図１】
0003149196.tif 000003
【図２】
0003149196.tif 000004
【図３】
0003149196.tif 000005
【図４】
0003149196.tif 000006
【図５】
0003149196.tif 000007
【図６】
0003149196.tif 000008
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
側面に注水口があり根元に噴射ノズルのある海苔支柱を左右から挟み海水を注入しノズルから噴射して、海苔支柱の立て辛い海苔畑の海底の貝殻や砂の層を液状化して海苔支柱を立て込むために、海苔支柱の柄に合わせて長さを決めた金属パイプを縦に二分して海苔支柱挟み金具を設け、片方の海苔支柱挟み金具の半円形の横側の上下にスライド軸受けパイプと上下の間に挟み金具ばねフックを設けて組み合わせ、対片方の主海苔支柱挟み金具を貫通して注入口と穴の開いた防水パッキンと注入パイプと注入ホースと半円形横側の上下にスライド軸と、双方の海苔支柱挟み金具の間に海苔支柱を入れ挟み絞め付けるため、支点軸受けとレバー支点軸受けと挟み金具絞めレバーとレバーばねフックとレバー止めと挟み金具の絞め付けを解除するロープを設けて組み合わせ、海苔支柱挟み金具のスライド軸受けパイプ上下に主海苔支柱挟み金具のスライド軸上下を入れて、双方の海苔支柱挟み金具を組み合わせ、挟み金具ばねフックとレバーばねフックの間にコイルばねを設けて組み合わせて構成した、海苔支柱海水注入装置。
【手続補正２】
【補正対象書類名】明細書
【補正対象項目名】全文
【補正方法】変更
【補正の内容】
【考案の詳細な説明】
【技術分野】
【０００１】  本考案は、海苔支柱立て込みに用いる、海苔支柱海水注入装置に関する。
【背景技術】
【０００２】  従来から、高圧液体注入装置として、特許文献に開示されているものがある。
【特許文献１】  特開２００２−２３３２１０号公報
【考案の開示】
【考案が解決しようとする課題】
【０００３】  海苔支柱の立て辛い海苔漁場の貝殻や砂の層に海苔支柱を立て込むために、上部が詰まり高圧注水口と根本に噴射口を持つ海苔支柱に高圧で海水を注入する場合、注水口に注入口を合わせ海水が漏れないように固定しなければいけない。また、立て込んだ後、手の届かない位置から注入装置を取り外さなければいけない。固定する時間と固定したものを外す時間を合わせると、時間が経過して海苔支柱を立て込む作業が進まない、この考案はこれらの不都合を解決することを課題とする。
【課題を解決するための手段】
【０００４】  そこで、側面に注水口があり根元に噴射ノズルのある海苔支柱を左右から挟み海水を注入しノズルから噴射して、海苔畑の貝殻や砂の層を液状化して海苔支柱を立て込むために、海苔支柱の柄に合わせて挟み幅と長さを決めた、金属パイプを縦に二分して半円形の海苔支柱挟み金具を設け、設けた片方の海苔支柱挟み金具の半円形の横側の上下にスライド軸受けパイプと、スライド軸受けパイプ上下の間に挟み金具ばねフックを設け組み合わせ（図１）の形状を作る。【０００５】  対片方の主海苔支柱挟み金具の半円形を貫通して、注入口と注入パイプと注入ホースと半円形の内側に穴の開いた防水パッキンと、半円形の横側の上下にスライド軸受けパイプに入れ込むために、海苔支柱挟み金具のスライド軸受けパイプに間隔を合わせたスライド軸と、海苔支柱挟み金具と主海苔支柱挟み金具の間に海苔支柱を入れ挟み絞め付ける為の、挟み板絞めレバーとレバー支点軸と支点軸受けとレバー止めと挟み金具と挟み金具の絞め付けを解除するロープを設けて組み合わせ（図２）の形状を作る。【０００６】  海苔支柱挟み金具の半円形の横方向上下のスライド軸受けパイプに主海苔支柱挟み金具の半円形の横方向上下のスライド軸を入れ込み、海苔支柱挟み金具の挟み金具バネフックと主海苔支柱挟み金具のレバーばねフック間にコイルバネを設けて組合せ（図３）の形状の海苔支柱海水注入装置を構成する。【０００７】  この、海苔支柱海水注入装置を船上で、海苔支柱挟み金具と主海苔支柱挟み金具との間に海苔支柱を入れ、海苔支柱の注水口と主海苔支柱挟み金具の防水パッキンの穴の範囲内に注入口合わせ、挟み板絞めレバーにより双方の挟み金具間の海苔支柱を絞め付け固定して、注入ホースから海苔支柱の内部に水圧をかけ根本の噴射ノズルから噴射しながら海苔支柱の立て辛い海底の貝殻や砂の層を液状化し通過して立て込むことができる。【０００８】  立て込んだ海苔支柱の手の届かない位置の、本考案の海苔支柱海水注入装置はロープを引くことで挟み板絞めレバーを引き固定を解除できる。
【考案の効果】
【０００９】  よって、本考案の海苔支柱海水中注入装置により、従来のように海苔支柱の注水口に注入口を合わせ海水が漏れないように固定したり外したりする時間を短縮でき、本考案の海苔支柱海水注入装置を用いることにより海苔支柱の立て込み作業の能率向上を図ることができるのである。
【考案を実施するための最良の形態】
【００１０】  この、海苔支柱海水注入装置を、側面に、２０注水口があり根本に、２１噴射ノズルのある、１９海苔支柱に用いる場合は、２海苔支柱挟み金具と、１主海苔支柱挟み金具の間を広げ、５上、６下スライド軸受けパイプと、３上、４下スライド軸の、図４を正面に裏側から、１９海苔支柱を入れ込み、１９海苔支柱の、２０注水口に、１主海苔支柱挟み金具の、１４防水パッキンの穴の範囲内に合わせ、２海苔支柱はさみ金具とで挟み、７挟み金具絞めレバーで、１２挟み金具ばねフックと、１０レバーばねフックの間の、１３コイルばねを、８レバー支点軸を支点にテコの原理で弾力を超える力で引き伸ばし、１２挟み金具ばねフックと、１０レバーばねフックを結ぶ線状が、８レバー支点軸の位置を交差して過ぎるまで、７挟み金具絞めレバーで（図４）を正面に右回り方向に、１１レバー止めまで動かし、１２挟み金具ばねフックと、１０レバーばねフックとの間の、１３コイルばねの縮む弾力で、２海苔支柱挟み金具と、１主海苔支柱挟み金具で、１４防水パッキンを間にして海苔支柱に固定する図５。【００１１】  １９海苔支柱に固定された海苔支柱海水注入装置の、１７注入ホースに水圧をかけ、海底の貝殻や砂の層の海苔畑の所定の位置に押さえ、１９海苔支柱の根元の、２１噴射ノズルから海水を噴射して液状化しながら貝殻や砂の層を通過して、１９海苔支柱を所定の深さまで押さえ立て込む。【００１２】  立て込んだ、１９海苔支柱から、７挟み金具絞めレバーの、１８ロープを、１３コイルばねの弾力を超える力で引き、１２挟み金具ばねフックと、１０レバーばねフックを結ぶ線状が、８レバー支点軸を交差して過ぎた位置で、７挟み金具絞めレバーは、１３コイルばねの弾力で、７挟み金具絞めレバーは、図４を正面に左回に動き、１９海苔支柱からの海苔支柱海水注入装置の固定を解除し、１８ロープを引き船上に上げる。【００１３】  また、海苔支柱の注水口が上部にある場合は、海苔支柱海水注入装置を１８０度回し固定し使用するとよい。【００１４】  このように工夫した、本考案の、海苔支柱海水注入装置を海苔支柱の立て込み作業に用いると、海苔支柱の立て込み作業の能率を向上させる事ができる。【００１５】  尚、海苔支柱挟み金具の形状は海苔支柱の柄に合わせて挟み幅と長さを決め、防水パッキンは主海苔支柱挟み金具にサイズを合わせ、注入口と注水口が多少ずれた場合でもパッキンの穴の範囲内で海水の流れができる厚みを決めるとよい。コイルばねの弾力は海苔支柱挟み金具と主海苔支柱挟み金具で海苔支柱を挟み絞め水圧をかけたとき、主海苔支柱挟み金具のゴム板から水漏れしない程度でよい。【００１６】  また、海苔支柱の注水口が上部で、海苔支柱海水注入装置が手の届かない上になる場合、海苔支柱海水注入装置を１８０度回し海苔支柱を挟み使用するとよい。【００１７】  これら、海苔支柱海水注入装置の材料は海水に強く錆びない金属が好ましい。
【産業上の利用可能性】
【００１８】  本発明に係る、海苔支柱海水注入装置は、工業的量産することが可能であるために、産業上の利用可能性を有する。
【図面の簡単な説明】
【００１９】
【図１】  海苔支柱挟み金具の部分立面図である。
【図２】  主海苔支柱挟み金具の部分立面図である。
【図３】  海苔支柱挟み金具部分と主海苔支柱挟み金具とコイルばねを組み合わせて構成した、海苔支柱海水注入装置の立面図である。
【図４】  海苔支柱海水注入装置の海苔支柱挟み金具と海苔支柱挟み金具の間に海苔支柱を入れた立面図である。
【図５】  海苔支柱海水注入装置の海苔支柱挟み金具と主海苔支柱挟み金具の間に海苔支柱をいれ挟み絞めた立面図である。
【図６】  上部の詰まった柄の側面に注水口を持ち根本に噴射口を持つ海苔支柱の立面図である。
【符号の説明】
【００２０】  １  主海苔支柱挟み金具を示す
２  海苔支柱挟み金具を示す
３  スライド軸上を示す
４  スライド軸下を示す
５  スライド軸受けパイプ上を示す
６  スライド軸受けパイプ下を示す
７  挟み金具絞めレバーを示す
８  レバー支点軸を示す
９  支点軸受けを示す
１０  レバーばねフックを示す
１１  レバー止を示す
１２  挟み金具ばねフックを示す
１３  コイルばねを示す
１４  防水パッキンを示す
１５  注入口を示す
１６  注入パイプを示す
１７  注入ホースを示す
１８  ロープを示す
１９  海苔支柱を示す
２０  海苔支柱の注水口示す
２１  海苔支柱の噴射ノズルを示す
２２  海苔支柱のアンテナを示す
【手続補正３】
【補正対象書類名】図面
【補正対象項目名】全図
【補正方法】変更
【補正の内容】
【図１】
0003149196.tif 000009
【図２】
0003149196.tif 000010
【図３】
0003149196.tif 000011
【図４】
0003149196.tif 000012
【図５】
0003149196.tif 000013
【図６】
0003149196.tif 000014